(57)【特許請求の範囲】
【請求項１】
端末により、アクセス・ポイントにより送信された指示フレームを受信するステップであって、前記指示フレームは指定されたランダム競合チャネルを割り当てるために使用され、前記端末および前記アクセス・ポイントは無線ネットワーク内に配置され、前記指示フレームはさらに指定された端末グループの情報を含み、前記指定された端末グループ内の各端末は前記グループ内の別の端末の信号を検出できる、ステップと、
前記端末により、前記指示フレームに従って、前記指定されたランダム競合チャネルのチャネル状態を検知するステップと、
前記指定されたランダム競合チャネルがアイドル状態にあることが検出された後、前記端末により、前記指定されたランダム競合チャネルでデータを送信するステップと、
を含み、
前記指定されたランダム競合チャネルがアイドル状態にあることが検出された後、前記端末により、前記指定されたランダム競合チャネルでデータを送信するステップは、
前記端末により、前記端末が前記指定された端末グループに属するかどうかを判定するステップと、
前記端末が前記指定された端末グループに属すると前記端末により判定された場合、前記指定されたランダム競合チャネルがアイドル状態にあることが検出された後に、前記端末により、前記指定されたランダム競合チャネルでバックオフを実行し、前記端末のバックオフ時間が終了した後に、前記端末により、データを前記指定されたランダム競合チャネルで送信するステップと、
を含む、データ送信方法。
【請求項２】
端末により、アクセス・ポイントにより送信された指示フレームを受信するステップは、前記アクセス・ポイントにより送信された前記指示フレームを受信するステップであって、前記指示フレームは前記指定されたランダム競合チャネルのチャネル周波数情報を含む、ステップを含み、
前記指示フレームに従って、前記指定されたランダム競合チャネルのチャネル状態を検知するステップは、前記指定されたランダム競合チャネルのチャネル周波数情報に従って、前記指定されたランダム競合チャネルの前記チャネル状態を検知するステップを含む、
請求項１に記載のデータ送信方法。
【請求項３】
アクセス・ポイントにより送信された指示フレームを受信するステップは、前記アクセス・ポイントにより送信された前記指示フレームを受信するステップであって、前記指示フレームはランダム競合の時間情報を含む、ステップを含み、
前記方法はさらに、前記指示フレームに含まれる前記ランダム競合の時間情報に従って、前記端末によりデータを前記指定されたランダム競合チャネルで送信するためのランダム競合の時間を取得するステップを含み、
前記指定されたランダム競合チャネルがアイドル状態にあることが検出された後、前記端末により、前記指定されたランダム競合チャネルでデータを送信するステップは、前記指定されたランダム競合チャネルがアイドル状態にあることが検出された後に、前記端末により、前記ランダム競合の時間内にデータを前記指定されたランダム競合チャネルで送信するステップを含む、
請求項１または２に記載のデータ送信方法。
【請求項４】
前記指示フレームに従って、前記指定されたランダム競合チャネルのチャネル状態を検知するステップは、
前記端末により、前記指定されたランダム競合チャネル上の信号強度を前記指示フレームに従って検出するステップと、
前記指定されたランダム競合チャネル上の前記検出された信号強度が所定の閾値以下であるとき、前記指定されたランダム競合チャネルがアイドル状態にあると判定するステップと、
を含む、請求項１乃至３の何れか１項に記載のデータ送信方法。
【請求項５】
前記指示フレームに従って、前記指定されたランダム競合チャネルのチャネル状態を検知するステップは、
前記端末によりスペクトル上で、前記指定されたランダム競合チャネルに対応するサブキャリア上の信号強度を検出するステップと、
前記指定されたランダム競合チャネルに対応する前記サブキャリア上の前記検出された信号強度が所定の閾値以下であるとき、前記指定されたランダム競合チャネルがアイドル状態にあると判定するステップと、
を含む、請求項１乃至３の何れか１項に記載のデータ送信方法。
【請求項６】
アクセス・ポイントにより送信された指示フレームを受信するステップは、前記アクセス・ポイントにより送信された前記指示フレームを受信するステップであって、前記指示フレームはランダム競合の期間情報を含む、ステップを含み、
前記方法はさらに、前記指示フレームに含まれるランダム競合の前記期間情報に従って、前記端末によりデータを前記指定されたランダム競合チャネルで送信するためのランダム競合の期間を取得するステップを含み、
前記指定されたランダム競合チャネルがアイドル状態にあることが検出された後、前記端末により、前記指定されたランダム競合チャネルでデータを送信するステップは、
前記指定されたランダム競合チャネルがアイドル状態にあることが検出された後に、ランダム競合の前記期間内にデータを前記指定されたランダム競合チャネルで送信するステップを含む、
請求項１乃至５の何れか１項に記載のデータ送信方法。
【請求項７】
前記指定されたランダム競合チャネルがアイドル状態にあることが検出された後、前記端末により、前記指定されたランダム競合チャネルでデータを送信するステップは、
前記指定されたランダム競合チャネルがアイドル状態にあることが検出された後に、前記端末により、データを前記アクセス・ポイントまたは別の端末に前記指定されたランダム競合チャネルで送信するステップを含む、
請求項１乃至６の何れか１項に記載のデータ送信方法。
【請求項８】
前記指示フレームはさらに、スケジュールされた送信のためのチャネルを割り当てるために使用され、
前記方法はさらに、前記指示フレームに従って、スケジュールされた送信のための前記チャネルでデータを送信するステップを含む、
請求項１乃至７の何れか１項に記載のデータ送信方法。
【請求項９】
前記指定されたランダム競合チャネルがアイドル状態にあることが検出された後、前記端末により、前記指定されたランダム競合チャネルでデータを送信するステップは、
前記端末により、前記指定されたランダム競合チャネル上で直交周波数分割多重アクセス（ＯＦＤＭＡ）方式でデータを送信するステップであって、前記ランダム競合チャネルおよびスケジュールされた送信のための前記チャネルは直交周波数分割多重方式（ＯＦＤＭ）シンボル同期を満たす、ステップを含む、
請求項８に記載のデータ送信方法。
【請求項１０】
無線ネットワーク内に配置された端末であって、
前記無線ネットワーク内に配置されたアクセス・ポイントにより送信された指示フレームを受信するように構成された受信ユニットであって、前記指示フレームはランダム競合チャネルを指定するために使用され、前記指示フレームは指定された端末グループの情報を含み、前記指定された端末グループ内の各端末は前記グループ内の別の端末の信号を検出できる、受信ユニットと、
前記受信ユニットにより受信された前記指示フレームに従って、前記指定されたランダム競合チャネルのチャネル状態を検知するように構成された検知ユニットと、
前記指定されたランダム競合チャネルがアイドル状態にあることを前記検知ユニットが検出した後に、データを前記指定されたランダム競合チャネルで送信するように構成された送信ユニットと、
を備え、
前記送信ユニットは、前記検知ユニットが、前記指定されたランダム競合チャネルがアイドル状態にあることを検出した後、
前記端末が前記指定された端末グループに属するかどうかを判定し、
前記端末が前記指定された端末グループに属すると判定された場合、前記検知ユニットが、前記指定されたランダム競合チャネルがアイドル状態にあると検出した後に、前記指定されたランダム競合チャネルでバックオフを実行し、前記端末のバックオフ時間が終了した後に、データを前記指定されたランダム競合チャネルで送信する
ことにより、前記指定されたランダム競合チャネルでバックオフを実行するように構成される、端末。
【請求項１１】
前記受信ユニットが、アクセス・ポイントにより送信された指示フレームを受信するように構成されることは、前記アクセス・ポイントにより送信された前記指示フレームを受信するように構成されることを含み、前記指示フレームは前記指定されたランダム競合チャネルのチャネル周波数情報を含み、
前記検知ユニットが前記受信ユニットにより受信された前記指示フレームに従って、前記指定されたランダム競合チャネルのチャネル状態を検知するように構成されることは、
前記受信ユニットにより受信された前記指定されたランダム競合チャネルのチャネル周波数情報に従って、前記指定されたランダム競合チャネルの前記チャネル状態を検知するように構成されることを含む、
請求項１０に記載の端末。
【請求項１２】
前記受信ユニットが、アクセス・ポイントにより送信された指示フレームを受信するように構成されることは、前記アクセス・ポイントにより送信された前記指示フレームを受信するように構成されることを含み、前記指示フレームはランダム競合の時間情報を含み、
前記受信ユニットはさらに、前記受信された指示フレームに含まれるランダム競合の時間情報に従って、前記端末によりデータを前記指定されたランダム競合チャネルで送信するためのランダム競合の時間を取得するように構成され、
前記送信ユニットが、前記指定されたランダム競合チャネルがアイドル状態にあることを前記検知ユニットが検出した後に、データを前記指定されたランダム競合チャネルで送信するように構成されることは、
前記指定されたランダム競合チャネルがアイドル状態にあることを前記検知ユニットが検出した後に、前記受信ユニットにより取得されたランダム競合の時間内に、データを前記指定されたランダム競合チャネルで送信するように構成されること
を含む、請求項１０または１１に記載の端末。
【請求項１３】
前記検知ユニットが前記受信ユニットにより受信された前記指示フレームに従って、前記指定されたランダム競合チャネルのチャネル状態を検知するように構成されることは、
前記受信ユニットにより受信された前記指示フレームに従って、前記指定されたランダム競合チャネル上の信号強度を検出し、前記指定されたランダム競合チャネル上の前記検出された信号強度が所定の閾値以下であるとき、前記指定されたランダム競合チャネルがアイドル状態にあると判定するように構成されることを含む、
請求項１０乃至１２の何れか１項に記載の端末。
【請求項１４】
前記検知ユニットが前記受信ユニットにより受信された前記指示フレームに従って、前記指定されたランダム競合チャネルのチャネル状態を検知するように構成されることは、
前記端末によりスペクトル上で、前記指定されたランダム競合チャネルに対応するサブキャリア上の信号強度を検出するステップと、
前記指定されたランダム競合チャネルに対応する前記サブキャリア上の前記検出された信号強度が所定の閾値以下であるとき、前記指定されたランダム競合チャネルがアイドル状態にあると判定するステップと、
を含む、請求項１０乃至１３の何れか１項に記載の端末。
【請求項１５】
前記受信ユニットが、アクセス・ポイントにより送信された指示フレームを受信するように構成されることは、
前記アクセス・ポイントにより送信された前記指示フレームを受信するように構成されることを含み、前記指示フレームはランダム競合の期間情報を含み、
前記受信ユニットはさらに、前記受信された指示フレームに含まれるランダム競合の前記期間情報に従って、前記端末によりデータを前記指定されたランダム競合チャネルで送信するためのランダム競合の期間を取得するように構成され、
前記検知ユニットが前記受信ユニットにより受信された前記指示フレームに従って、前記指定されたランダム競合チャネルのチャネル状態を検知するように構成されることは、
前記指定されたランダム競合チャネルがアイドル状態にあることが検出された後、ランダム競合の前記期間内にデータを前記指定されたランダム競合チャネルで送信するように構成されることを含む、
請求項１０乃至１４の何れか１項に記載の端末。
【請求項１６】
前記送信ユニットが、前記指定されたランダム競合チャネルがアイドル状態にあることを前記検知ユニットが検出した後に、データを前記指定されたランダム競合チャネルで送信するように構成されることは、
前記指定されたランダム競合チャネルがアイドル状態にあることを前記検知ユニットが検出した後に、データを前記アクセス・ポイントまたは別の端末に前記指定されたランダム競合チャネルで送信するように構成されることを含む、
請求項１０乃至１５の何れか１項に記載の端末。
【請求項１７】
前記受信ユニットが、アクセス・ポイントにより送信された指示フレームを受信するように構成されることは、
前記受信ユニットが、前記アクセス・ポイントにより送信された前記指示フレームを受信するように構成されることを含み、前記指示フレームはさらに、スケジュールされた送信のためのチャネルを割り当てるために使用され、
前記送信ユニットはさらに、前記受信ユニットにより受信された前記指示フレームに従って、スケジュールされた送信のための前記チャネルでデータを送信するように構成される、
請求項１０乃至１６の何れか１項に記載の端末。
【請求項１８】
前記送信ユニットが、前記指定されたランダム競合チャネルがアイドル状態にあることが検出された後、前記指定されたランダム競合チャネルでデータを送信するように構成されることは、前記指定されたランダム競合チャネル上で直交周波数分割多重アクセス（ＯＦＤＭＡ）方式でデータを送信するように構成されることを含み、前記ランダム競合チャネルおよびスケジュールされた送信のための前記チャネルは直交周波数分割多重方式（ＯＦＤＭ）シンボル同期を満たす、請求項１７に記載の端末。
【発明の詳細な説明】
【技術分野】
【０００１】
本発明は無線通信技術の分野に関し、特に、データ送信方法および端末に関する。
【背景技術】
【０００２】
既存の無線ネットワーク通信では、データ送信は一般に、無認可のスペクトルをランダム競合方式で用いることによって実施される。例えば、データ送信が、無線ローカル・エリアネットワーク（Ｗｉｒｅｌｅｓｓ  Ｌｏｃａｌ  Ａｒｅａ  Ｎｅｔｗｏｒｋ、ＷＬＡＮ）およびＢｌｕｅｔｏｏｔｈ（登録商標）ネットワークのようなネットワークでランダム競合方式で行われる。データ送信がランダム競合方式で行われるとき、様々な無線ネットワークは立場において等しく、同一の無線ネットワーク内の異なる端末も立場において等しく、その結果、全ての端末は全てのランダム競合チャネルを無線ネットワーク内で共有する。しかし、より多くの端末が無線ネットワーク内で展開されると、端末を共有ランダム競合チャネルに接続するのに必要な平均時間は長くなり、無線ネットワークのリアルタイム・サービスのサービス品質を保証するのが困難になる原因となる。
【発明の概要】
【課題を解決するための手段】
【０００３】
本発明の目的はデータ送信方法を提供することである。当該方法により、端末間の競合を減らし、端末をランダム競合チャネルに接続するための時間を削減することができる。
【０００４】
本発明の第１の態様では、端末により、アクセス・ポイントにより送信された指示フレームを受信するステップであって、当該指示フレームは指定されたランダム競合チャネルを割り当てるために使用されるステップと、当該指示フレームに従って、当該指定されたランダム競合チャネルのチャネル状態を検知するステップと、端末により、当該指定されたランダム競合チャネルがアイドル状態にあることが検出された後、当該指定されたランダム競合チャネルでデータを送信するステップとを含むデータ送信方法を提供する。
【０００５】
本発明の第１の態様を参照して、第１の態様の第１の可能な実装方式では、端末により、当該指定されたランダム競合チャネルがアイドル状態にあることが検出された後、当該指定されたランダム競合チャネルでデータを送信するステップは、当該指定されたランダム競合チャネルがアイドル状態にあることが検出された後に、端末により、当該指定されたランダム競合チャネルでバックオフを実行するステップと、端末のバックオフ時間が終了した後に、端末により、データを当該指定されたランダム競合チャネルで送信するステップとを含む。
【０００６】
本発明の第１の態様または第１の態様の第１の可能な実装方式を参照して、第１の態様の第２の可能な実装方式では、端末により、アクセス・ポイントにより送信された指示フレームを受信するステップは、アクセス・ポイントにより送信された指示フレームを受信するステップであって、当該指示フレームは、当該指定されたランダム競合チャネルのチャネル周波数情報を含むステップを含み、当該指示フレームに従って、当該指定されたランダム競合チャネルのチャネル状態を検知するステップは、当該指定されたランダム競合チャネルのチャネル周波数情報に従って、当該指定されたランダム競合チャネルのチャネル状態を検知するステップを含む。
【０００７】
本発明の第１の態様または第１の態様の第１もしくは第２の可能な実装方式を参照して、第１の態様の第３の可能な実装方式では、アクセス・ポイントにより送信された指示フレームを受信するステップは、アクセス・ポイントにより送信された指示フレームを受信するステップであって、当該指示フレームはランダム競合の時間情報を含むステップを含み、当該方法はさらに、当該指示フレームに含まれる当該ランダム競合の時間情報に従って、端末により、データを当該指定されたランダム競合チャネルで送信するためのランダム競合の時間を取得するステップを含み、当該指定されたランダム競合チャネルがアイドル状態にあることが検出された後、端末により、当該指定されたランダム競合チャネルでデータを送信するステップは、当該指定されたランダム競合チャネルがアイドル状態にあることが検出された後、当該ランダム競合の時間内に当該指定されたランダム競合チャネルでデータを送信するステップを含む。
【０００８】
本発明の第１の態様または第１の態様の第１乃至第３の可能な実装方式の何れか１つを参照して、第１の態様の第４の可能な実装方式では、当該指示フレームに従って、当該指定されたランダム競合チャネルのチャネル状態を検知するステップは、端末により、当該指定されたランダム競合チャネル上の信号強度を当該指示フレームに従って検出するステップと、当該指定されたランダム競合チャネル上の検出された信号強度が予め設定された閾値以下であるとき、当該指定されたランダム競合チャネルがアイドル状態にあると判定するステップとを含む。
【０００９】
本発明の第１の態様または第１の態様の第１乃至第３の可能な実装方式の何れか１つを参照して、第１の態様の第５の可能な実装方式では、当該指示フレームに従って、当該指定されたランダム競合チャネルのチャネル状態を検知するステップは、端末によりスペクトル上で、当該指定されたランダム競合チャネルに対応するサブキャリア上の信号強度を検出するステップと、当該指定されたランダム競合チャネルに対応するサブキャリア上の検出された信号強度が予め設定された閾値以下であるとき、当該指定されたランダム競合チャネルがアイドル状態にあると判定するステップとを含む。
【００１０】
本発明の第１の態様または第１の態様の第１および第２の可能な実装方式の何れかを参照して、第１の態様の第６の可能な実装方式では、アクセス・ポイントにより送信された指示フレームを受信するステップは、アクセス・ポイントにより送信された指示フレームを受信するステップであって、当該指示フレームはランダム競合の期間情報を含むステップを含み、当該方法はさらに、当該指示フレームに含まれる当該ランダム競合の期間情報に従って、端末により、データを当該指定されたランダム競合チャネルで送信するためのランダム競合の期間を取得するステップを含み、当該指定されたランダム競合チャネルがアイドル状態にあることが検出された後、端末により、当該指定されたランダム競合チャネルでデータを送信するステップは、当該指定されたランダム競合チャネルがアイドル状態にあることが検出された後に、ランダム競合の期間内にデータを当該指定されたランダム競合チャネルで送信するステップを含む。
【００１１】
本発明の第１の態様または第１の態様の第１乃至第６の可能な実装方式の何れか１つを参照して、第１の態様の第７の可能な実装方式では、当該指定されたランダム競合チャネルがアイドル状態にあることが検出された後、端末により、当該指定されたランダム競合チャネルでデータを送信するステップは、当該指定されたランダム競合チャネルがアイドル状態にあることが検出された後に、端末により、データをアクセス・ポイントまたは別の端末に当該指定されたランダム競合チャネルで送信するステップを含む。
【００１２】
本発明の第１の態様または第１の態様の第１乃至第７の可能な実装方式の何れか１つを参照して、第１の態様の第８の可能な実装方式では、当該指示フレームはさらに、スケジュールされた送信のためのチャネルを割り当てるために使用され、当該方法はさらに、当該指示フレームに従って、スケジュールされた送信のためのチャネルでデータを送信するステップを含む。
【００１３】
本発明の第１の態様の第８の実装方式を参照して、第１の態様の第９の可能な実装方式では、当該指定されたランダム競合チャネルがアイドル状態にあることが検出された後、端末により、当該指定されたランダム競合チャネルでデータを送信するステップは、端末により、当該指定されたランダム競合チャネル上で直交周波数分割多重アクセス（ＯＦＤＭＡ）方式でデータを送信するステップであって、当該ランダム競合チャネルおよびスケジュールされた送信のためのチャネルは直交周波数分割多重方式（ＯＦＤＭ）シンボル同期を満たすステップを含む。
【００１４】
本発明の第２の態様では、アクセス・ポイントにより送信された指示フレームを受信するように構成された受信ユニットであって、当該指示フレームはランダム競合チャネルを指定するために使用される、受信ユニットと、受信ユニットにより受信された指示フレームに従って、当該指定されたランダム競合チャネルのチャネル状態を検知するように構成された検知ユニットと、当該指定されたランダム競合チャネルがアイドル状態にあることを検知ユニットが検出した後に、データを当該指定されたランダム競合チャネルで送信するように構成された送信ユニットとを備えた端末を提供する。
【００１５】
本発明の第２の態様を参照して、第２の態様の第１の可能な実装方式では、送信ユニットは、当該指定されたランダム競合チャネルがアイドル状態にあることを検知ユニットが検出した後に、当該指定されたランダム競合チャネルでバックオフを実行するように構成され、このことは、当該指定されたランダム競合チャネルがアイドル状態にあることを検知ユニットが検出した後に、当該指定されたランダム競合チャネルでバックオフを実行し、端末のバックオフ時間が終了した後に、データを当該指定されたランダム競合チャネルで送信するように構成されることを含む。
【００１６】
本発明の第２の態様または第２の態様の第１の可能な実装方式を参照して、第２の態様の第２の可能な実装方式では、受信ユニットが、アクセス・ポイントにより送信された指示フレームを受信するように構成されることは、アクセス・ポイントにより送信された指示フレームを受信するように構成されることを含み、当該指示フレームは当該指定されたランダム競合チャネルのチャネル周波数情報を含み、検知ユニットが受信ユニットにより受信された指示フレームに従って、当該指定されたランダム競合チャネルのチャネル状態を検知するように構成されることは、受信ユニットにより受信された当該指定されたランダム競合チャネルのチャネル周波数情報に従って、当該指定されたランダム競合チャネルのチャネル状態を検知するように構成されることを含む。
【００１７】
本発明の第２の態様または第２の態様の第１もしくは第２の可能な実装方式を参照して、第２の態様の第３の可能な実装方式では、受信ユニットが、アクセス・ポイントにより送信された指示フレームを受信するように構成されることは、アクセス・ポイントにより送信された指示フレームを受信するように構成されることを含み、当該指示フレームはランダム競合の時間情報を含み、受信ユニットはさらに、当該受信された指示フレームに含まれる当該ランダム競合の時間情報に従って、端末によりデータを当該指定されたランダム競合チャネルで送信するためのランダム競合の時間を取得するように構成され、送信ユニットが、当該指定されたランダム競合チャネルがアイドル状態にあることを検知ユニットが検出した後に、データを当該指定されたランダム競合チャネルで送信するように構成されることは、当該指定されたランダム競合チャネルがアイドル状態にあることを検知ユニットが検出した後に、受信ユニットにより取得されたランダム競合の時間内に、データを当該指定されたランダム競合チャネルで送信するように構成されることを含む。
【００１８】
本発明の第２の態様または第２の態様の第１乃至第３の可能な実装方式の何れか１つを参照して、第２の態様の第４の可能な実装方式では、検知ユニットが受信ユニットにより受信された指示フレームに従って、指定されたランダム競合チャネルのチャネル状態を検知するように構成されることは、受信ユニットにより受信された指示フレームに従って、当該指定されたランダム競合チャネル上の信号強度を検出し、当該指定されたランダム競合チャネル上の検出された信号強度が予め設定された閾値以下であるとき、当該指定されたランダム競合チャネルがアイドル状態にあると判定するように構成されることを含む。
【００１９】
本発明の第２の態様または第２の態様の第１乃至第３の可能な実装方式の何れか１つを参照して、第２の態様の第５の可能な実装方式では、検知ユニットが受信ユニットにより受信された指示フレームに従って、指定されたランダム競合チャネルのチャネル状態を検知するように構成されることは、端末によりスペクトル上で、当該指定されたランダム競合チャネルに対応するサブキャリア上の信号強度を検出するステップと、当該指定されたランダム競合チャネルに対応するサブキャリア上の検出された信号強度が予め設定された閾値以下であるとき、当該指定されたランダム競合チャネルがアイドル状態にあると判定するステップとを含む。
【００２０】
本発明の第２の態様または第２の態様の第１および第２の可能な実装方式の何れかを参照して、第２の態様の第６の可能な実装方式では、受信ユニットが、アクセス・ポイントにより送信された指示フレームを受信するように構成されることは、アクセス・ポイントにより送信された指示フレームを受信するように構成されることを含み、当該指示フレームはランダム競合の期間情報を含み、受信ユニットはさらに、当該受信された指示フレームに含まれる当該ランダム競合の期間情報に従って、端末により、データを当該指定されたランダム競合チャネルで送信するためのランダム競合の期間を取得するように構成され、検知ユニットが受信ユニットにより受信された指示フレームに従って、当該指定されたランダム競合チャネルのチャネル状態を検知するように構成されることは、当該指定されたランダム競合チャネルがアイドル状態にあることが検出された後、ランダム競合の期間内にデータを当該指定されたランダム競合チャネルで送信するように構成されることを含む。
【００２１】
本発明の第２の態様または第２の態様の第１乃至第６の可能な実装方式の何れか１つを参照して、第２の態様の第７の可能な実装方式では、送信ユニットが、指定されたランダム競合チャネルがアイドル状態にあることを検知ユニットが検出した後に、データを当該指定されたランダム競合チャネルで送信するように構成されることは、当該指定されたランダム競合チャネルがアイドル状態にあることを検知ユニットが検出した後に、データをアクセス・ポイントまたは別の端末に当該指定されたランダム競合チャネルで送信するように構成されることを含む。
【００２２】
本発明の第２の態様または第２の態様の第１乃至第７の可能な実装方式の何れか１つを参照して、第２の態様の第８の可能な実装方式では、受信ユニットがアクセス・ポイントにより送信された指示フレームを受信するように構成されることは、受信ユニットが、アクセス・ポイントにより送信された指示フレームを受信するように構成されることを含み、当該指示フレームはさらに、スケジュールされた送信のためのチャネルを割り当てるために使用され、送信ユニットはさらに、受信ユニットにより受信された指示フレームに従って、スケジュールされた送信のためのチャネルでデータを送信するように構成される。
【００２３】
本発明の第２の態様の第８の実装方式を参照して、第２の態様の第９の可能な実装方式では、送信ユニットが、指定されたランダム競合チャネルがアイドル状態にあることが検出された後、当該指定されたランダム競合チャネルでデータを送信するように構成されることは、当該指定されたランダム競合チャネル上で直交周波数分割多重アクセス（ＯＦＤＭＡ）方式でデータを送信するように構成されることを含み、当該ランダム競合チャネルおよびスケジュールされた送信のためのチャネルは直交周波数分割多重方式（ＯＦＤＭ）シンボル同期を満たす。
【００２４】
本発明の方法では、端末が、指示フレームに従って、当該指示フレームにより指定されたランダム競合チャネルでデータを送信する。したがって、本発明の方法では、様々なランダム競合チャネルを様々な端末に割り当ててデータ送信を行うことができ、端末間の競合を減らし、端末をランダム競合チャネルに接続するための時間を削減することができ、それにより無線ネットワークのリアルタイム・サービスのサービス品質が保証され、ネットワークのデータ送信の効率が高まる。
【図面の簡単な説明】
【００２５】
【図１】実施形態１に従うデータ送信方法の略流れ図である。
【図２】実施形態２に従う別のデータ送信方法の略流れ図である。
【図３】適用シナリオにおけるデータ送信の略図である。
【図４】別の適用シナリオにおけるデータ送信の略図である。
【図５】さらに別の適用シナリオにおけるデータ送信の略図である。
【図６】実施形態３に従う端末の構造ブロック図である。
【図７】実施形態４に従う端末の構造ブロック図である。
【図８】実施形態５に従う端末の構造ブロック図である。
【発明を実施するための形態】
【００２６】
以下で、本発明の諸実施形態における添付図面を参照して、本発明の諸実施形態における技術的解決策を明確に説明する。明らかに、説明する諸実施形態は本発明の諸実施形態の全部ではなく一部にすぎない。当業者が本発明の諸実施形態に基づいて創造的努力なしに得た他の全ての実施形態は本発明の保護範囲に入るものとする。
【００２７】
図１に示すように、本発明の実施形態１ではデータ送信方法を提供する。当該方法が特に以下を含んでもよい。
【００２８】
１０１で、端末が、アクセス・ポイントにより送信された指示フレームを受信する。当該指示フレームは指定されたランダム競合チャネルを割り当てるために使用される。
【００２９】
アクセス・ポイントが全てのチャネルまたは幾つかのチャネルを用いることによって当該指示フレームを送信してもよい。
【００３０】
１０２で、当該指示フレームに従って、指定されたランダム競合チャネルのチャネル状態を検知する。
【００３１】
例えば、当該指示フレームが、指定されたランダム競合チャネルのチャネル周波数情報を含んでもよく、端末が、当該指定されたランダム競合チャネルを当該指定されたランダム競合チャネルのチャネル周波数情報に従って決定し、当該指定されたランダム競合チャネルのチャネル状態を検知してもよい。
【００３２】
１０３で、端末が、指定されたランダム競合チャネルがアイドル状態にあることが検出された後、当該指定されたランダム競合チャネルでデータを送信する。
【００３３】
当該実施形態では、端末が、指示フレームに従って、指定されたランダム競合チャネルでデータを送信するので、当該方法では、様々なランダム競合チャネルを様々な端末に割り当ててデータ送信を行うことができ、端末間の競合を減らし、端末をランダム競合チャネルに接続するための時間を削減でき、それにより無線ネットワークのリアルタイム・サービスのサービス品質が保証され、ネットワークのデータ送信の効率が高まる。
【００３４】
指定されたランダム競合チャネルに端末が接続されたとき、端末が別の端末との衝突を生じさせるのを防ぐために、ステップ１０３が特に、当該指定されたランダム競合チャネルがアイドル状態にあることが検出された後に、端末により、当該指定されたランダム競合チャネルでバックオフを実行するステップと、端末のバックオフ時間が終了した後に、端末により、データを当該指定されたランダム競合チャネルで送信するステップとを含んでもよい。
【００３５】
さらに、本発明の実施形態１では、指定されたランダム競合チャネルは、端末とアクセス・ポイントの間のチャネル・リソースの幾つかのみを占有してもよく、残りの幾つかのチャネル・リソースを、スケジュールされた送信のためのチャネルとして使用してもよい。当該チャネル・リソースを十分に使用するために、本発明の当該実施形態では以下の技術的手段をさらに採用してもよい。特に、アクセス・ポイントにより送信され端末により受信された指示フレームをさらに、スケジュールされた送信のためのチャネルを割り当てるために使用してもよく、端末は、当該指示フレームに従って、スケジュールされた送信のためのチャネルでデータを送信する。したがって、本発明の当該実施形態を適用することにより、端末は、指示フレームに従ってデータを指定されたランダム競合チャネルで送信できるだけでなく、当該指示フレームに従って、スケジュールされた送信のためのチャネルでデータを送信することもできる。指定されたランダム競合チャネルを用いたデータ送信方式と比較すると、スケジュールされた送信のためのチャネルを用いたデータ送信方式には、高いサービス品質のリアルタイム・サービスという利点がある。したがって、本発明の方法の実施形態では、リアルタイム・サービスのサービス品質をさらに高めることができ、端末が密に展開されるシナリオや多数のユーザのケースにおいて無線システムの効率を高めることができる。
【００３６】
本発明の実施形態１では、ネットワークが、無認可の周波数帯に基づくＷｉ−Ｆｉネットワークであってもよく、または、認可された周波数帯に基づくＬＴＥネットワーク、ＣＤＭＡネットワーク、ＧＳＭ（登録商標）ネットワーク等であってもよい。例えば、Ｗｉ−Ｆｉネットワークでは、アクセス・ポイントが、ランダム競合チャネルおよびスケジュールされた送信のためのチャネルを割り当ててもよい。多数のユーザ端末がＷｉ−Ｆｉネットワークを用いることによって無線通信を実施するとき、幾つかの端末が、スケジュールされた送信に対するチャネルを用いることによってデータを送信、即ち、スケジュールされた送信モードでデータをこれらのチャネルで送信して、リアルタイム・サービスのサービス品質を保証してもよい。ユーザ端末が大量の短いパケットデータを送信する必要があるとき、幾つかの端末がランダム競合チャネルを用いることによってデータを送信、即ち、ランダム競合モードでデータをこれらのチャネルで送信して、システムのオーバヘッドを減らし、システム柔軟性を高めてもよい。さらに、端末は、バックオフを実行した後、当該指定されたランダム競合チャネルがアイドル状態にあるとき、当該指定されたランダム競合チャネルでデータを送信してもよいので、複数の端末が当該指定されたランダム競合チャネルを使用するときに衝突が生ずる可能性を減らすことができる。
【００３７】
図２に示すように本発明の実施形態２ではデータ送信方法を提供する。ランダム競合チャネルおよびスケジュールされた送信のためのチャネルが、当該方法が適用されるネットワーク内に存在する。当該ネットワークは無認可の周波数帯に基づくネットワークまたは認可された周波数帯に基づくネットワークであり、当該方法が特に以下を含んでもよい。
【００３８】
２０１で、端末が、アクセス・ポイントにより送信された指示フレームを受信する。
【００３９】
アクセス・ポイントが全てのチャネルまたは幾つかのチャネルを用いることによって、当該指示フレームを送信してもよい。当該指示フレームは端末に対してランダム競合チャネルを指定するために使用される。当該指示フレームは、指定されたランダム競合チャネルのチャネル周波数情報および競合の時間情報を含む。
【００４０】
２０２で、端末が、指定されたランダム競合チャネルのチャネル周波数情報に従って、当該指定されたランダム競合チャネルのチャネル状態を検知する。
【００４１】
例えば、端末が、当該指示フレームに従って、当該指定されたランダム競合チャネル上の信号強度を検出し、当該指定されたランダム競合チャネル上の検出された信号強度が予め設定された閾値以下であるとき、当該指定されたランダム競合チャネルがアイドル状態にあると判定してもよい。
【００４２】
２０３で、当該指示フレームに含まれるランダム競合の時間情報に従って、端末により、データを当該指定されたランダム競合チャネルで送信するためのランダム競合の時間を取得する。
【００４３】
２０４で、当該指定されたランダム競合チャネルがアイドル状態にあることが検出された後、端末が当該ランダム競合の時間内に当該指定されたランダム競合チャネルでバックオフを実行する。
【００４４】
２０５で、端末が、端末のバックオフ時間が終了した後に当該指定されたランダム競合チャネルでデータを送信する。
【００４５】
以上の内容を、具体的な適用シナリオを参照して以下でさらに説明する。
【００４６】
アクセス・ポイントと２つの端末がネットワーク内に配置され、当該２つの端末は端末ＳＴＡ１および端末ＳＴＡ２であり、端末が両方ともデータをランダム競合チャネルで送信する必要があり、互いの信号を検出できると仮定する。当該ネットワークには４つの利用可能なチャネルがあり、それらはチャネル１、チャネル２、チャネル３、およびチャネル４である。図３に示すように、具体的なデータ送信のプロセスは以下の通りである。
【００４７】
ステップ１：アクセス・ポイントが指示フレームを生成し送信する。当該指示フレームは、指定されたランダム競合チャネルのチャネル周波数情報およびランダム競合の時間情報を含む。ここでのランダム競合の時間情報は、端末がランダム競合の指定された時間内にデータを送信できるようにするために使用され、ランダム競合の時間の開始時間点およびランダム競合の期間を含んでもよいか、または、さらにランダム競合ウィンドウを含んでもよい。アクセス・ポイントが当該指示フレームを当該ネットワーク内の４つのチャネル全てで送信してもよく、または、当該指示フレームを１つのチャネルのみで送信してもよく、例えば、当該指示フレームをチャネル４のみで送信してもよい。図３では、当該指示フレームは、チャネル４をランダム競合チャネルとして指定し、ランダム競合の期間を設定する。ステップ１を実施した後、プロセスはステップ２に進む。
【００４８】
ステップ２：ＳＴＡ１およびＳＴＡ２が当該指示フレームを受信する。この場合、ＳＴＡ１はデータＤＡＴＡ１フレームを送信する必要があり、ＳＴＡ２はＤＡＴＡ２フレームを送信する必要がある。ＳＴＡ１はランダムに２Ｔをバックオフ時間として選択する。Ｔはバックオフ時間の最小単位を表し、ＳＴＡ２はランダムに４Ｔをバックオフ時間として選択する。
【００４９】
ステップ３：ＳＴＡ１およびＳＴＡ２がチャネル４の状態を検知する。チャネル４のアイドル時間が分散協調機能フレーム間スペース（Ｄｉｓｔｒｉｂｕｔｅｄ  Ｃｏｏｒｄｉｎａｔｉｏｎ  Ｆｕｎｃｔｉｏｎ  Ｉｎｔｅｒｆｒａｍｅ  Ｓｐａｃｅ、略してＤＩＦＳ）時間に到達したとき、ＳＴＡ１およびＳＴＡ２がバックオフを実行する。
【００５０】
ステップ４：時間２Ｔが経過した後、ＳＴＡ２のバックオフ時間が２Ｔに削減され、ＳＴＡ１がデータＤＡＴＡ１フレームを送信する。
【００５１】
ステップ５：アクセス・ポイントが、ＳＴＡ１により送信されたＤＡＴＡ１フレームを受信する。
【００５２】
ステップ６：ＳＴＡ２がチャネル４の状態を検知する。ＳＴＡ１がこの時点でサービス送信要件を有さない場合には、チャネル４を検知する必要はない。チャネル４のアイドル時間がＤＩＦＳ時間に到達した後、ＳＴＡ２がバックオフを実行する。
【００５３】
ステップ７：時間２Ｔが経過した後、ＳＴＡ２がＤＡＴＡ２フレームを送信する。
【００５４】
ステップ８：アクセス・ポイントがＳＴＡ２により送信されたＤＡＴＡ２フレームを受信する。
【００５５】
ここでのランダム競合チャネルを、端末によりデータをアクセス・ポイントに競合方式で送信するために使用できるだけでなく、競合方式で、デバイス間（英語：Ｄｅｖｉｃｅ  ｔｏ  Ｄｅｖｉｃｅ、略してＤ２Ｄ）通信方式を採用する端末間でデータを送信するために使用してもよいことは強調されるべきである。Ｄ２ＤはＷｉ−Ｆｉ標準において直接リンク・セットアップ（英語：Ｄｉｒｅｃｔ  ｌｉｎｋ  ｓｅｔｕｐ、略してＤＬＳ）とも呼ばれ、互いから無線データ・フレームを受信できる２つの端末が、アクセス・ポイントにより実施される転送を必要とすることなくデータを互いに直接送信する通信方式を指す。Ｄ２Ｄ通信方式を採用する端末が、アクセス・ポイントにより示されるランダム・チャネルを用いてデータを送信するとき、チャネル検知およびランダム・バックオフのプロセスは以上の説明におけるものと同じであり、データ送信中に受信端末を、Ｄ２Ｄ通信方式を採用する受信端末として特定するだけでよい。さらに、非データ送信の間は、Ｄ２Ｄ通信方式を採用する端末は、データをランダム競合チャネルで受信し続ける必要があり、受信されたデータ・フレームが現在の端末に送信されたデータ・フレームであるかどうかを識別し、当該受信されたデータ・フレームが現在の端末に送信されたデータ・フレームである場合には、当該データ・フレームを受信し、または、当該受信されたデータ・フレームが現在の端末に送信されたデータ・フレームでない場合には、当該受信されたデータ・フレームを破棄する。
【００５６】
スケジュールされた送信のためのチャネルはスケジューリング・チャネルを含むので、当該スケジューリング・チャネルおよびランダム競合チャネルがデータ送信中に互いに干渉を生じさせるのを防ぐために、当該ランダム競合の時間内に、端末は、データを指定されたランダム競合チャネルで直交周波数分割多重アクセス（英語：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）方式で送信することができる。当該ランダム競合チャネルおよびスケジュールされた送信のためのチャネルは直交周波数分割多重方式（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）シンボル同期を満たす。
【００５７】
端末が、指定されたランダム競合チャネル上でＯＦＤＭＡ方式でデータを送信するので、以下のステップを用いることによって、当該指定されたランダム競合チャネルがアイドル状態にあるかどうかを判定することができる。特に、端末は、スペクトル上で、当該指定されたランダム競合チャネルに対応するサブキャリア上の信号強度を検出し、当該指定されたランダム競合チャネルに対応するサブキャリア上の検出された信号強度が予め設定された閾値以下であるとき、当該指定されたランダム競合チャネルがアイドル状態にあると判定する。
【００５８】
ネットワーク内の全ての端末が同種のサービスを処理するわけではないので、端末が互いの信号を検出できない可能性があり、これが隠れた端末の問題の原因となり、その結果、様々な端末がデータを送信するとき衝突が容易に発生する可能性がある。かかる問題を回避するために、本発明の実施形態２では以下の技術的手段を採用してもよい。
【００５９】
特に、アクセス・ポイントにより送信され端末により受信された指示フレームはさらに、指定された端末グループの情報を含み、当該指定された端末グループ内の端末が当該指定された端末グループ内の別の端末の信号を検出できる場合、当該指定された端末グループ内の端末がランダム競合チャネルを用いることによってデータを送信するとき隠れた端末が現れるために送信の衝突が生ずるケースを回避することができる。例えば、複数の近傍端末を端末の近傍リストに従って１つのグループとして使用でき、その結果、当該グループ内の各端末は当該グループ内の別の端末の信号を検出でき、それにより端末が隠されるのが防止される。
【００６０】
指示フレームを受信した後、端末は、指定された端末グループの情報に従って、端末が、ランダム競合チャネルを用いることによってデータを送信する当該指定された端末グループに属するかどうかを判定する。
【００６１】
端末が当該指定された端末グループに属すると判定された場合、端末が、当該指定されたランダム競合チャネルがアイドル状態にあるとき、当該指定されたランダム競合チャネルでバックオフを実行する。
【００６２】
端末が、バックオフ時間が終了した後に、データを当該指定されたランダム競合チャネルで送信する。
【００６３】
さらに、当該指示フレームは当該指定された端末グループのグループ番号情報を含み、端末は、当該指定された端末グループの当該グループ番号情報に従って、当該指定された端末グループのグループ番号を取得し、端末が属する端末グループのグループ番号が当該指定された端末グループの取得されたグループ番号と同じであるとき、端末が当該取得された指定された端末グループに属すると判定する。端末が当該取得された指定された端末グループに属すると判定された後、当該指定されたランダム競合チャネルのチャネル状態が検知され、当該指定されたランダム競合チャネルがアイドル状態にあると検出されたとき、端末がバックオフを当該指定されたランダム競合チャネルで実行する。端末は、バックオフ時間が終了した後に、データを当該指定されたランダム競合チャネルで送信する。
【００６４】
以上の内容を、具体的な適用シナリオを参照して以下でさらに説明する。
【００６５】
アクセス・ポイントと４つの端末がネットワーク内に配置され、当該４つの端末が端末ＳＴＡ１、端末ＳＴＡ２、端末ＳＴＡ３、および端末ＳＴＡ４であり、ＳＴＡ１およびＳＴＡ２は互いの信号を検出できるが、ＳＴＡ３およびＳＴＡ４の信号は検出できず、ＳＴＡ３およびＳＴＡ４は互いの信号を検出できるが、ＳＴＡ１およびＳＴＡ２の信号は検出できないと仮定する。したがって、ＳＴＡ１およびＳＴＡ２はグループ０として使用され、ＳＴＡ３およびＳＴＡ４はグループ１として使用される。当該ネットワークには４つの利用可能なチャネルがあり、それらはチャネル１、チャネル２、チャネル３、およびチャネル４であり、当該４つのチャネルは互いと独立であり、互いに干渉しない。具体的なデータ送信のプロセスは以下の通りである。
【００６６】
ステップ１：アクセス・ポイントが指示フレームを生成し送信する。当該指示フレームは、指定されたランダム競合チャネルのチャネル周波数情報、ランダム競合の時間情報、および指定された端末グループのグループ番号情報を含む。ここでの指示フレームはチャネル４をランダム競合チャネルとして指定し、ランダム競合の期間を設定し、ランダム競合をグループ０で実施できると指定する。
【００６７】
ステップ２：ＳＴＡ１、ＳＴＡ２、ＳＴＡ３、およびＳＴＡ４が当該指示フレームを受信する。ＳＴＡ１およびＳＴＡ２はグループ０に属するので、ＳＴＡ１およびＳＴＡ２はランダム競合を実施でき、ＳＴＡ３およびＳＴＡ４はグループ１に属し、ランダム競合を実施することができない。ＳＴＡ１は２Ｔをバックオフ時間として選択する。Ｔはバックオフ時間の最小単位を表し、ＳＴＡ２は４Ｔをバックオフ時間として選択する。
【００６８】
ステップ３：ＳＴＡ１およびＳＴＡ２がチャネル４の状態を検知する。チャネル４のアイドル時間がＤＩＦＳ時間に到達した後、ＳＴＡ１およびＳＴＡ２がバックオフを実行する。
【００６９】
ステップ４：時間２Ｔが経過した後、ＳＴＡ２のバックオフ時間が２Ｔに削減され、ＳＴＡ１がデータＤＡＴＡ１フレームを送信する。
【００７０】
ステップ５：アクセス・ポイントが、ＳＴＡ１により送信されたＤＡＴＡ１フレームを受信する。
【００７１】
ステップ６：ＳＴＡ２がチャネル４の状態を検知する。ＳＴＡ１がこの時点でサービス送信要件を有さない場合には、チャネル４を検知する必要はない。チャネル４のアイドル時間がＤＩＦＳ時間に到達した後、ＳＴＡ２がバックオフを実行する。
【００７２】
ステップ７：時間２Ｔが経過した後、ＳＴＡ２がＤＡＴＡ２フレームを送信する。
【００７３】
ステップ８：アクセス・ポイントがＳＴＡ２により送信されたＤＡＴＡ２フレームを受信する。
【００７４】
本発明の実施形態２では、指示フレームがランダム競合の期間情報を含んでもよい。当該ランダム競合の期間情報は、端末が有するランダム競合の期間を表すために使用され、端末が当該期間内にデータを送信してもよい。当該指示フレームを受信した後、端末は、当該指示フレームに含まれる当該ランダム競合の期間情報に従って、端末により、指定されたランダム競合チャネルでデータを送信するためのランダム競合の期間を取得し、ランダム競合の期間内にデータを当該指定されたランダム競合チャネルで送信してもよい。したがって、アクセス・ポイントは指示フレームを１回送信し、端末はデータを期間内に送信でき、それによりランダム指示フレームの送信回数が減る。
【００７５】
以上の内容を、具体的な適用シナリオを参照して以下でさらに説明する。
【００７６】
アクセス・ポイントと２つの端末がネットワーク内に配置され、当該２つの端末は端末ＳＴＡ１および端末ＳＴＡ２であり、当該端末の両方が周期的なサービス・データをランダム競合チャネルで送信する要件を有すると仮定する。当該ネットワークには４つの利用可能なチャネルがあり、それらはチャネル１、チャネル２、チャネル３、およびチャネル４である。図４に示すように、具体的なデータ送信のプロセスは以下の通りである。
【００７７】
ステップ１：アクセス・ポイントが指示フレームを生成し送信する。当該指示フレームは、指定されたランダム競合チャネルのチャネル周波数情報およびランダム競合の時間情報を含む。当該ランダム競合の時間情報が特にランダム競合の期間であってもよい。アクセス・ポイントが当該指示フレームを当該ネットワーク内の当該４つのチャネル全てで送信してもよく、または、当該指示フレームを１つのチャネルのみで送信してもよく、例えば、当該指示フレームをチャネル４のみで送信してもよい。ステップ１を実施した後、プロセスはステップ２に進む。
【００７８】
ステップ２：ＳＴＡ１およびＳＴＡ２が当該指示フレームを受信する。ランダム競合の第１の期間内に、ＳＴＡ１はＤＡＴＡ１フレームを送信する必要があり、ＳＴＡ２はＤＡＴＡ２フレームを送信する必要がある。ＳＴＡ１はランダムに２Ｔをバックオフ時間として選択する。Ｔはバックオフ時間の最小単位を表し、ＳＴＡ２はランダムに４Ｔをバックオフ時間として選択する。
【００７９】
ステップ３：ＳＴＡ１およびＳＴＡ２がチャネル４の状態を検知する。チャネル４のアイドル時間がＤＩＦＳ時間に到達した後、ＳＴＡ１およびＳＴＡ２がバックオフを実行する。
【００８０】
ステップ４：時間２Ｔが経過した後、ＳＴＡ２のバックオフ時間が２Ｔに削減され、ＳＴＡ１がデータＤＡＴＡ１フレームを送信する。
【００８１】
ステップ５：アクセス・ポイントが、ＳＴＡ１により送信されたＤＡＴＡ１フレームを受信する。
【００８２】
ステップ６：ＳＴＡ２がチャネル４の状態を検知する。ＳＴＡ１がこの時点でサービス送信要件を有さない場合には、チャネル４を検知する必要はない。チャネル４のアイドル時間がＤＩＦＳ時間に到達した後、ＳＴＡ２がバックオフを実行する。
【００８３】
ステップ７：時間２Ｔが経過した後、ＳＴＡ２がＤＡＴＡ２フレームを送信する。
【００８４】
ステップ８：アクセス・ポイントがＳＴＡ２により送信されたＤＡＴＡ２フレームを受信する。
【００８５】
ステップ８を実施した後、ＳＴＡ１およびＳＴＡ２はランダム競合の次の期間に入るのを待機し、ステップ３乃至ステップ８が再度実施される。
【００８６】
本発明の実施形態２では、端末が、指定されたチャネルでデータをアクセス・ポイントまたは別の端末に送信してもよい。例えば、端末は、以上の方法を用いてデータをアクセス・ポイントに送信できるだけでなく以上の方法を用いてデータを別の端末に送信できる端末である。
【００８７】
例えば、アクセス・ポイントと２つの端末がネットワーク内に配置され、当該２つの端末は端末ＳＴＡ１および端末ＳＴＡ２であり、当該端末が両方ともデータをランダム競合チャネルで送信する必要があり、互いの信号を検出できると仮定する。当該ネットワークには４つの利用可能なチャネルがあり、それらはチャネル１、チャネル２、チャネル３、およびチャネル４である。図５に示すように、具体的なデータ送信のプロセスは以下の通りである。
【００８８】
ステップ１：アクセス・ポイントが指示フレームを生成し送信する。当該指示フレームは、指定されたランダム競合チャネルのチャネル周波数情報およびランダム競合の時間情報を含む。
【００８９】
ステップ２：ＳＴＡ１およびＳＴＡ２が当該指示フレームを受信する。この場合、ＳＴＡ１はデータＤＡＴＡ１フレームを送信する必要があり、ＳＴＡ２はデータを送信する必要はない。ＳＴＡ１はランダムに４Ｔをバックオフ時間として選択する。Ｔはバックオフ時間の最小単位を表し、ＳＴＡ２はランダムに２Ｔをバックオフ時間として選択する。
【００９０】
ステップ３：ＳＴＡ１がチャネル４の状態を検知する。チャネル４のアイドル時間がＤＩＦＳ時間に到達した後、ＳＴＡ１がバックオフを実行する。
【００９１】
ステップ４：時間４Ｔが経過した後、ＳＴＡ１がＤＡＴＡ１フレームをＳＴＡ２に送信する。
【００９２】
ステップ５：ＳＴＡ２が、ＳＴＡ１により送信されたＤＡＴＡ１フレームを受信し、フレームＡＣＫ１を生成する。
【００９３】
ステップ６：ＳＴＡ２がチャネル４の状態を検知する。チャネル４のアイドル時間がＤＩＦＳ時間に到達した後、ＳＴＡ２がバックオフを実行する。
【００９４】
ステップ７：時間２Ｔが経過した後、ＳＴＡ２がフレームＡＣＫ１をＳＴＡ１に送信する。
【００９５】
ステップ８：ＳＴＡ１がＳＴＡ２により送信されたフレームＡＣＫ１を受信する。
【００９６】
図６に示すように、本発明の実施形態４では端末３０１を提供する。端末３０１は、アクセス・ポイントにより送信された指示フレームを受信するように構成された受信ユニット３０２であって、当該指示フレームはランダム競合チャネルを指定するために使用される受信ユニット３０２と、受信ユニット３０２により受信された指示フレームに従って、当該指定されたランダム競合チャネルのチャネル状態を検知するように構成された検知ユニット３０３と、当該指定されたランダム競合チャネルがアイドル状態にあることを検知ユニット３０３が検出した後、データを当該指定されたランダム競合チャネルで送信するように構成された送信ユニット３０４とを含む。
【００９７】
図７に示すように、本発明の実施形態４では端末４０１を提供する。端末４０１は、アクセス・ポイントにより送信された指示フレームを受信するように構成された受信ユニット４０２であって、当該指示フレームは指定されたランダム競合チャネルの情報を含む、受信ユニット４０２と、受信ユニット４０２により受信された指示フレームに従って、当該指定されたランダム競合チャネルのチャネル状態を検知するように構成された検知ユニット４０３と、当該指定されたランダム競合チャネルがアイドル状態にあることを検知ユニット４０３が検出した後に、データを当該指定されたランダム競合チャネルで送信するように構成された送信ユニット４０４とを含む。
【００９８】
送信ユニット４０４は、指定されたランダム競合チャネルがアイドル状態にあることを検知ユニット４０３が検出した後に、当該指定されたランダム競合チャネルでバックオフを実行するように構成され、このことは、当該指定されたランダム競合チャネルがアイドル状態にあることを検知ユニット４０３が検出した後に、当該指定されたランダム競合チャネルでバックオフを実行し、端末のバックオフ時間が終了した後に、データを当該指定されたランダム競合チャネルで送信するように構成されることを含む。
【００９９】
任意選択で、受信ユニット４０２が、アクセス・ポイントにより送信された指示フレームを受信するように構成されることは、アクセス・ポイントにより送信された指示フレームを受信するように構成されることを含み、当該指示フレームは当該指定されたランダム競合チャネルのチャネル周波数情報を含み、検知ユニット４０３が、受信ユニット４０２により受信された指示フレームに従って、当該指定されたランダム競合チャネルのチャネル状態を検知するように構成されることは、当該指定されたランダム競合チャネルのチャネル周波数情報に従って、受信ユニット４０２により受信された、当該指定されたランダム競合チャネルのチャネル状態を検知するように構成されることを含む。
【０１００】
任意選択で、受信ユニット４０２が、アクセス・ポイントにより送信された指示フレームを受信するように構成されることは、アクセス・ポイントにより送信された指示フレームを受信するように構成されることを含み、当該指示フレームはランダム競合の時間情報を含み、受信ユニット４０２はさらに、当該受信された指示フレームに含まれるランダム競合の時間情報に従って、端末により、データを当該指定されたランダム競合チャネルで送信するためのランダム競合の時間を取得するように構成され、送信ユニット４０４が、当該指定されたランダム競合チャネルがアイドル状態にあることを検知ユニット４０３が検出した後に、データを当該指定されたランダム競合チャネルで送信するように構成されることは、当該指定されたランダム競合チャネルがアイドル状態にあることを検知ユニット４０３が検出した後に、受信ユニット４０２により取得されたランダム競合の時間内に、データを当該指定されたランダム競合チャネルで送信するように構成されることを含む。
【０１０１】
検知ユニット４０３が、受信ユニット４０２により受信された指示フレームに従って、指定されたランダム競合チャネルのチャネル状態を検知するように構成されることは、受信ユニット４０２により受信された指示フレームに従って、当該指定されたランダム競合チャネル上の信号強度を検出し、当該指定されたランダム競合チャネル上の検出された信号強度が予め設定された閾値以下であるとき、当該指定されたランダム競合チャネルがアイドル状態にあると判定するように構成されることを含む。
【０１０２】
任意選択で、検知ユニット４０３が、受信ユニット４０２により受信された指示フレームに従って、指定されたランダム競合チャネルのチャネル状態を検知するように構成されることは、端末によりスペクトル上で、当該指定されたランダム競合チャネルに対応するサブキャリア上の信号強度を検出するステップと、当該指定されたランダム競合チャネルに対応するサブキャリア上の検出された信号強度が予め設定された閾値以下であるとき、当該指定されたランダム競合チャネルがアイドル状態にあると判定するステップとを含む。
【０１０３】
任意選択で、受信ユニット４０２が、アクセス・ポイントにより送信された指示フレームを受信するように構成されることは、アクセス・ポイントにより送信された指示フレームを受信するように構成されることを含み、当該指示フレームはランダム競合の期間情報を含み、受信ユニット４０２はさらに、当該受信された指示フレームに含まれるランダム競合の期間情報に従って、端末により、データを当該指定されたランダム競合チャネルで送信するためのランダム競合の期間を取得するように構成され、検知ユニット４０３が、受信ユニット４０２により受信された指示フレームに従って、当該指定されたランダム競合チャネルのチャネル状態を検知するように構成されることは、当該指定されたランダム競合チャネルがアイドル状態にあることが検出された後、ランダム競合の期間内にデータを当該指定されたランダム競合チャネルで送信するように構成されることを含む。
【０１０４】
任意選択で、送信ユニット４０４が、指定されたランダム競合チャネルがアイドル状態にあることを検知ユニット４０３が検出した後に、データを当該指定されたランダム競合チャネルで送信するように構成されることは、当該指定されたランダム競合チャネルがアイドル状態にあることを検知ユニット４０３が検出した後に、データをアクセス・ポイントまたは別の端末に当該指定されたランダム競合チャネルで送信するように構成されることを含む。
【０１０５】
任意選択で、受信ユニット４０２が、アクセス・ポイントにより送信された指示フレームを受信するように構成されることは、受信ユニット４０２が、アクセス・ポイントにより送信された指示フレームを受信するように構成されることを含み、当該指示フレームはさらに、スケジュールされた送信のためのチャネルを割り当てるために使用され、送信ユニット４０４はさらに、受信ユニット４０２により受信された指示フレームに従って、スケジュールされた送信のためのチャネルでデータを送信するように構成される。
【０１０６】
任意選択で、送信ユニット４０４が、指定されたランダム競合チャネルがアイドル状態にあることが検出された後、当該指定されたランダム競合チャネルでデータを送信するように構成されることは、当該指定されたランダム競合チャネル上で直交周波数分割多重アクセス（ＯＦＤＭＡ）方式でデータを送信するように構成されることを含み、当該ランダム競合チャネルおよびスケジュールされた送信のためのチャネルは直交周波数分割多重方式（ＯＦＤＭ）シンボル同期を満たす。
【０１０７】
任意選択で、受信ユニット４０２はさらに、アクセス・ポイントにより送信された指示フレームを受信するように構成される。当該指示フレームは、指定された端末（４０１）グループのグループ番号情報を含む。当該指定された端末（４０１）グループ内の端末４０１は当該指定された端末（４０１）グループ内の別の端末４０１の信号を検出でき、当該指定された端末（４０１）グループ内の端末４０１は、ランダム競合チャネルを用いることによってデータを送信する。送信ユニット４０４はさらに、受信ユニット４０２により受信された当該指定された端末グループの情報に従って、端末４０１が当該指定された端末グループに属するかどうかを判定し、端末４０１が当該指定された端末グループに属すると判定された場合には、当該指定されたランダム競合チャネルがアイドル状態にあることが検出された後に、当該指定されたランダム競合チャネルでバックオフを実行するように構成される。当該指定された端末グループに属する端末は当該指定された端末グループ内の別の端末の信号を検出することができる。
【０１０８】
任意選択で、受信ユニット４０２はさらに、アクセス・ポイントにより送信された指示フレームを受信するように構成される。当該指示フレームは当該指定された端末グループのグループ番号情報を含む。
【０１０９】
送信ユニット４０４はさらに、当該指定された端末グループのグループ番号情報に従って当該指定された端末グループのグループ番号を取得し、端末４０１が属する端末グループのグループ番号が当該指定された端末グループの取得されたグループ番号と同じであるとき、端末４０１が当該指定された端末グループに属すると判定するように構成される。
【０１１０】
図８に示すように、本発明の実施形態５では端末５０１を提供する。ランダム競合チャネルおよびスケジュールされた送信のためのチャネルが、端末５０１が配置されたネットワークに存在する。当該ネットワークは無認可の周波数帯に基づくネットワークまたは認可された周波数帯に基づくネットワークである。端末５０１は、アクセス・ポイントにより送信された指示フレームを受信するように構成された受信器５０２であって、当該指示フレームはランダム競合チャネルを指定するために使用される受信器５０２と、受信器５０２により受信された指示フレームに従って、当該指定されたランダム競合チャネルのチャネル状態を検知するように構成されたプロセッサ５０３と、当該指定されたランダム競合チャネルがアイドル状態にあることをプロセッサ５０３が検出した後に、データを当該指定されたランダム競合チャネルで送信するように構成された送信器５０４とを含む。
【０１１１】
任意選択で、送信器５０４が、指定されたランダム競合チャネルがアイドル状態にあることをプロセッサ５０３が検出した後に、データを当該指定されたランダム競合チャネルで送信するように構成されることは、当該指定されたランダム競合チャネルがアイドル状態にあることをプロセッサ５０３が検出した後に、当該指定されたランダム競合チャネルでバックオフを実行し、端末のバックオフ時間が終了した後に、データを当該指定されたランダム競合チャネルで送信するように構成されることを含む。
【０１１２】
任意選択で、受信器５０２はさらに、アクセス・ポイントにより送信された指示フレームを受信するように構成され、当該指示フレームは指定されたランダム競合チャネルのチャネル周波数情報を含み、プロセッサ５０３はさらに、受信器５０２により受信された指示フレームに含まれる指定されたランダム競合チャネルのチャネル周波数情報に従って、当該指定されたランダム競合チャネルのチャネル状態を検知するように構成される。
【０１１３】
任意選択で、受信器５０２はさらに、アクセス・ポイントにより送信された指示フレームを受信するように構成され、当該指示フレームはランダム競合の時間情報を含み、プロセッサ５０３はさらに、受信器５０２により受信された指示フレームに含まれるランダム競合の時間情報に従って、端末５０１により当該指定されたランダム競合チャネルでデータを送信するためのランダム競合の時間を取得するように構成される。送信器５０４はさらに、当該指定されたランダム競合チャネルがアイドル状態にあることをプロセッサ５０３が検出した後に、当該ランダム競合の時間内にデータを当該指定されたランダム競合チャネルで送信するように構成される。
【０１１４】
任意選択で、プロセッサ５０３はさらに、当該指示フレームに従って、当該指定されたランダム競合チャネル上の信号強度を検出し、当該指定されたランダム競合チャネル上の検出された信号強度が予め設定された閾値以下であるとき、当該指定されたランダム競合チャネルがアイドル状態にあると判定するように構成される。
【０１１５】
任意選択で、プロセッサ５０３はさらに、当該指示フレームに従うスペクトル上で、当該指定されたランダム競合チャネルに対応するサブキャリア上の信号強度を検出し、当該指定されたランダム競合チャネルに対応するサブキャリア上の検出された信号強度が予め設定された閾値以下であるとき、当該指定されたランダム競合チャネルがアイドル状態にあると判定するように構成される。
【０１１６】
任意選択で、受信器５０２はさらに、アクセス・ポイントにより送信された指示フレームを受信するように構成され、当該指示フレームはランダム競合の期間情報を含む。プロセッサ５０３はさらに、当該指示フレームに含まれるランダム競合の期間情報に従って、端末によりデータを当該指定されたランダム競合チャネルで送信するためのランダム競合の期間を取得するように構成される。送信器５０４は、当該指定されたランダム競合チャネルがアイドル状態にあることをプロセッサ５０３が検出した後に、ランダム競合の期間内にデータを当該指定されたランダム競合チャネルで送信するように構成される。
【０１１７】
任意選択で、送信器５０４が、指定されたランダム競合チャネルがアイドル状態にあることをプロセッサ５０３が検出した後に、データを当該指定されたランダム競合チャネルで送信するように構成されることは、送信器５０４が、当該指定されたランダム競合チャネルがアイドル状態にあることをプロセッサ５０３が検出した後に、データをアクセス・ポイントまたは別の端末に当該指定されたランダム競合チャネルで送信するように構成されることを含む。
【０１１８】
任意選択で、受信器５０２はさらに、アクセス・ポイントにより送信された指示フレームを受信するように構成され、当該指示フレームはさらに、スケジュールされた送信のためのチャネルを割り当てるために使用される。送信器５０４は当該指示フレームに従って、スケジュールされた送信のためのチャネルでデータを送信するように構成される。
【０１１９】
任意選択で、送信器５０４が、指定されたランダム競合チャネルがアイドル状態にあることをプロセッサ５０３が検出した後に、データを当該指定されたランダム競合チャネルで送信するように構成されることは、送信器５０４が、当該指定されたランダム競合チャネル上で直交周波数分割多重アクセス（ＯＦＤＭＡ）方式でデータを送信するように構成されることを含み、当該ランダム競合チャネルおよびスケジュールされた送信のためのチャネルは直交周波数分割多重方式（ＯＦＤＭ）シンボル同期を満たす。
【０１２０】
任意選択で、受信器５０２はさらに、アクセス・ポイントにより送信された指示フレームを受信するように構成される。当該指示フレームは指定された端末グループの情報を含み、当該指定された端末グループ内の端末５０１は、当該指定された端末グループ内の別の端末５０１の信号を検出でき、当該指定された端末グループ内の端末５０１は、ランダム競合チャネルを使用することによってデータを送信する。プロセッサ５０３はさらに、受信器５０２により受信された指示フレームに含まれる指定された端末グループの情報に従って、端末５０１が当該指定された端末グループに属するかどうかを判定するように構成され、端末５０１が当該指定された端末グループに属するとプロセッサ５０３が判定した場合には、当該指定されたランダム競合チャネルがアイドル状態にあるとき、端末５０１は当該指定されたランダム競合チャネルでバックオフを実行する。
【０１２１】
任意選択で、受信器５０２はさらに、アクセス・ポイントにより送信された指示フレームを受信するように構成され、当該指示フレームは指定された端末グループのグループ番号情報を含む。プロセッサ５０３はさらに、受信器５０２により受信された指示フレームに含まれる指定された端末グループのグループ番号情報に従って、当該指定された端末グループのグループ番号を取得し、端末５０１が属する端末グループのグループ番号が当該指定された端末グループのグループ番号と同じであるとき、端末５０１が当該指定された端末グループに属すると判定するように構成される。
【０１２２】
任意選択で、受信器５０２はさらに、アクセス・ポイントにより送信された指示フレームを受信するように構成され、当該指示フレームはランダム競合の期間情報を含む。プロセッサ５０３はさらに、受信器５０２により受信された指示フレームに含まれるランダム競合の期間情報に従って、端末５０１により当該指定されたランダム競合チャネルでデータを送信するためのランダム競合の期間を取得するように構成される。送信器５０４はさらに、プロセッサ５０３により取得された、ランダム競合の期間内のランダム競合の時間内に、データを当該指定されたランダム競合チャネルで送信するように構成される。
【０１２３】
任意選択で、送信器５０４は、データをアクセス・ポイントまたは別の端末５０１に当該指定されたランダム競合チャネルで送信するように構成される。
【０１２４】
任意選択で、受信器５０２は、アクセス・ポイントにより送信された指示フレームを受信するように構成され、当該指示フレームはさらに、スケジュールされた送信のためのチャネルを割り当てるために使用される。送信器５０４はさらに、受信器５０２により受信された指示フレームに従って、スケジュールされた送信のためのチャネルでデータを送信するように構成される。
【０１２５】
具体的な実装において、本発明ではさらにコンピュータ記憶媒体を提供する。当該コンピュータ記憶媒体はプログラムを格納してもよく、当該プログラムを実行するとき、本発明で提供したデータ送信方法の各実施形態におけるステップの一部または全部を含めることができる。当該記憶媒体が、磁気ディスク、光ディスク、読取専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）等であってもよい。
【０１２６】
本発明の諸実施形態で提供するデータ送信方法および端末を上で詳細に説明した。本発明の原理および実装方式は、具体的な例を用いることによって本明細書で説明されている。実施形態に関する以上の説明は本発明の方法と中心的な思想の理解を助けるために提供したにすぎない。さらに、当業者は、本発明の思想に従う具体的な実装方式と適用範囲との点で本発明に変形と修正を行うことができる。したがって、本明細書の内容は本発明を限定するものと解釈すべきではない。
【符号の説明】
【０１２７】
３０１  端末
３０２  受信ユニット
３０３  検知ユニット
３０４  送信ユニット
４０１  端末
４０２  受信ユニット
４０３  検知ユニット
４０４  送信ユニット
５０１  端末
５０２  受信器
５０３  プロセッサ
５０４  送信器
【図１】
0006350837.tif 000002
【図２】
0006350837.tif 000003
【図３】
0006350837.tif 000004
【図４】
0006350837.tif 000005
【図５】
0006350837.tif 000006
【図６】
0006350837.tif 000007
【図７】
0006350837.tif 000008
【図８】
0006350837.tif 000009